(57)【特許請求の範囲】
【請求項１】
人間の頭を外部の有害作用から保護するための保護アセンブリであって、保護アセンブリを装用する人間の頭に接続するための支持構造と、目的の保護機能を発揮するバイザ手段と、該バイザ手段が下方の使用位置から上方の静止位置まで旋回するために該支持構造に旋回式に接続されていることと、該バイザ手段の位置を視線方向および該下方の使用位置に調節、固定するための手段と、該バイザ手段の位置を調節、固定するための該手段が、該バイザ手段の位置を調節、固定するための該手段を操作するための作動部材を含むこととを含み、
該バイザ手段の位置を調節、固定するための該手段を操作するための該作動部材すべてが、該バイザ手段の位置を視線方向および該下方の使用位置に関して調節、固定するために保護アセンブリの使用位置で作動できるように、保護アセンブリおよびバイザ手段の外側にそれぞれ配置されており、
前記バイザ手段は、前記支持構造と動作的に接続している二つの側面部を含み、該側面部のそれぞれが、スリップクラッチ部材として作動する解放自在のねじ接続によって該支持構造に接続されており、該支持構造の額部には、該解放自在のねじ接続の位置決めのための基礎部として働く、支持構造のこめかみ区域に配置された、径方向外側に突出するテープ区分が具備されており、
更に、旋回式バイザ手段の下方の使用位置を決定するためのストッパ部材手段が設けられており、該ストッパ部材手段が、固定ストッパ部材と、該固定ストッパ部材と係合する調節自在の当接部材とを含み、該固定ストッパ部材が、前記支持構造の額部における径方向外側に突出するテープ区分の片方に配置されており、前記調節自在の当接部材は、バイザ手段の関連する側面部の内側に配置されていることを特徴とする保護アセンブリ。
【請求項２】
該支持構造が硬質弾性額テープ部を含み、該バイザ手段が該額テープ部にじかに固定されている請求項１に記載の保護アセンブリ。
【請求項３】
該支持構造の径方向外側に突出するテープ区分および該バイザ手段の該側面部のうち該テープ区分と重なる部分のそれぞれが、バイザの旋回軸を形成するねじ付きボルトを受けるためのポート状の孔を含み、バイザの各側にある該ポート状の孔の片方が、保護アセンブリを装用する人間の視線方向とほぼ並行に延びる前後方向のスリットの形状である請求項２に記載の保護アセンブリ。
【請求項４】
該前後方向のスリットそれぞれが、その長手に沿って、作動ノブ部材と係合するための複数のはめ込み凹部を含み、該バイザの位置を、該支持部材に対して、該はめ込み凹部によって定められるいくつかの所定位置のいずれかに能動的に固定するために、該作動ノブ部材が、該ねじ付きボルトの、該バイザの該側面部よりも外側にある部分に配置されている請求項３に記載の保護アセンブリ。
【請求項５】
はめ込み凹部が三つ設けられている請求項４に記載の保護アセンブリ。
【請求項６】
前後方向のスリットの形状の該ポート状の孔が、該支持構造の径方向外側に突出するテープ区分に配置されている請求項３に記載の保護アセンブリ。
【請求項７】
該調節自在の当接部材が、前後方向に延びる経路に沿って移動することができ、該前後方向に延びる経路に対して横に延びるストッパ縁手段を備えている請求項１から６のいずれか一項に記載の保護アセンブリ。
【請求項８】
該調節自在の当接部材が、解放自在のねじ接続により、該バイザ手段の該側面部に固定されており、このねじ接続が、該バイザ手段の該側面部に設けられたポート状の孔を貫通するねじ付きボルトと、該ねじ付きボルトの、該バイザ手段の該側面部よりも外側にある部分に受けられている作動ノブ部材とを含むものである請求項１から７のいずれか一項に記載の保護アセンブリ。
【請求項９】
該ねじ付きボルトが、該バイザ手段の関連の側面部に固着されており、該バイザ手段の該関連の側面部が前後方向のスリットを含み、このスリットに沿って該ねじ付きボルトを無段階可変的に移動させることができ、該ねじ付きボルトが、回転することのないよう、該前後方向のスリットの中に受け入れられている請求項８に記載の保護アセンブリ。
【請求項１０】
該ねじ付きボルトの位置が、該バイザ部材の該側面部に設けられた該ポート状の孔の中に固定されており、さらに、該調節自在の当接部材が前後方向のスリットを含み、このスリットにより、該当接部材が直線的に移動自在に、かつ非回転自在に該ねじ付きボルトに受け入れられている請求項８に記載の保護アセンブリ。
【請求項１１】
該調節自在の当接部材が、該調節自在の当接部材と該固定ストッパ部材との接続が解けたときに、調節自在の当接部材を固定ストッパ部材に押し当てるためのばね手段を含む請求項８に記載の保護アセンブリ。
【請求項１２】
ねじ付きボルトの位置が、該バイザ手段の該側面部にあるポート状の孔に対して固定されており、さらに、該調節自在の当接部材が、摩擦クラッチによって該ねじ付きボルトに接続され、また、該ねじ付きボルトを軸方向に移動させることによってはずすことができる能動的に係合するクラッチ手段によって該バイザ手段の該側面部に接続されている請求項８に記載の保護アセンブリ。
【請求項１３】
前記ストッパ部材手段ならびにこれに関連する作動手段が支持構造の耳部から離れた位置にある請求項１から１１のいずれか一項に記載の保護アセンブリ。
【請求項１４】
支持構造の大きさを、保護アセンブリを装用する人間の頭の大きさに適合させるための調節手段をさらに含む請求項２に記載の保護アセンブリ。
【請求項１５】
該調節手段が、保護アセンブリの使用位置に調節することができ、支持構造の額テープ部の円周寸法を調節するための自動固定式調節アセンブリを含む請求項１４に記載の保護アセンブリ。
【請求項１６】
支持構造の額テープ部を調節するための該自動固定式調節アセンブリが支持構造のネック部に配置されている請求項１５に記載の保護アセンブリ。
【請求項１７】
該支持構造の該額テープ部が、前後方向のスロットを有する二つの自由端を含み、各スロットの片方の縁に歯列が設けられ、該二つの自由端を互いに重ね合わせたときに、片方のスロットの歯列が他方のスロットに設けられた歯列に対して反対側に位置する請求項１５に記載の保護アセンブリ。
【請求項１８】
該額テープ部の該二つの自由端を包囲する締付け部材が設けられており、該締付け部材が、該締付け部材の内部に配置され、二つの各スロットの片方の縁に沿って設けられた該二つの歯列と噛合する、軸を中心に回転することができる歯車部材を含み、さらに、該歯車部材の回転動を妨げる摩擦クラッチ部材と、該歯車部材の該軸の外側に固定された作動ノブとを含む請求項１７に記載の保護アセンブリ。
【発明の詳細な説明】
【０００１】
【産業上の利用分野】
本発明は、保護アセンブリに関し、より具体的には、人間の頭を外部の有害作用から保護するための保護アセンブリであって、保護アセンブリを装用する人間の頭に接続するための支持構造と、目的の保護機能を発揮するバイザと、このバイザ手段が下方の使用位置から上方の静止位置まで旋回するために支持構造に旋回式に接続されていることと、バイザの位置を視線方向および下方の使用位置に調節、固定するための手段とを含む保護アセンブリに関する。
【０００２】
【従来の技術】
従来の技術においては、人間の頭を保護するための、溶接作業用ヘルメットの形態にある保護アセンブリが公知である。このような溶接作業用ヘルメットは、当業者に明白であるように非常に高い光度を有する溶接アークが発生したときに溶接作業者の目を保護するためのものである。このようなヘルメットにおいては、その支持構造は、長さが調節自在である額テープ部と、額テープ部材の一定の区間を包囲し、直立して配置されたテープ輪郭でできた支持リング部材とを含む。この支持リング部材は、その形状安定性を増すためのカラーを備えている。額テープ部材および繊維材料でできた二つの横に延びる頭テープ部は、支持リング部材に接続されている。さらに、バイザ部材が前記支持リング部材に接続されている。
【０００３】
これらの部品および要素を支持リング部材に固定するために、保護アセンブリの使用中には解放することができない差込み式の接続を設けている。加えて、額テープ部材と支持リング部材との接続手段として、放射方向に弾性のあるタブ部材が挿入されている。支持リング部材の側面部の区域には、側方に突出するピボットピンをそれぞれ受けて、バイザ部材を旋回式に取り付けるためのベアリング部材が設けられている。バイザ部材は、前記ピボットピンが貫通するポート状の孔を有する二つの側面部を含む。
【０００４】
バイザ部材を支持構造に対して使用位置に、すなわち下方位置に固定または前設定するために、ストッパ部材アセンブリを設けている。これに関して、バイザ部材の片方の側面部は、その内面に、固定ストッパ部材として働くうね部材を含み、支持リング部材は、前記うね部材と係合する調節自在の当接部材を含む。この調節自在の当接部材は、一等レバーの片方の脚の端に位置し、その他方の脚は、歯付き部分として設計されている。
【０００５】
この一等レバーは、ねじ付きボルトにより、バイザ部材の側面部と支持リング部材との間に旋回式に取り付けられ、レバーの歯付き脚が、上述した関連のベアリング部材の対応する歯付き部と噛合する。レバーの歯付き脚の歯とベアリング部材の歯付き部の歯との相互の噛合位置を変えることにより、このストッパ部材アセンブリ、ひいては、支持構造に対するバイザ部材の角度を調節することができる。歯付き部分は弾性をもって設計されている。ストッパ部材アセンブリを調節してバイザ部材の傾動角を変えるために、歯付き部分を一時的に曲げて歯付きベアリング部材から引き離して、これらの二つの部材の歯どうしをはずすことができる。
【０００６】
公知の保護アセンブリの支持構造の額テープ部は、硬質弾性テープの形態にあり、このテープの端は、額テープ部分を閉じて望みの長さのループにするための接続手段を含む。これらの接続手段は、テープ部の片方の端に、テープ部の長手に沿って一列に配設された多数の穴を設け、他方の端に、両方の端を互いに重ね合わせた場合に前記穴のいずれかと係合するための突出するピンを設けることによって具現化することができる。
【０００７】
ヘルメットを特定の人間の頭に適合させるための手段、特に、バイザの傾動角を調節するための手段が非実用的に設計されており、ヘルメットを溶接作業者の頭からはずさない限り操作することができないような構成であることが実用によって示された。その結果、多くの場合に、快適な作業にとって必要条件であるヘルメットの完璧な適合は、保護アセンブリを試行錯誤で段階的に適合させない限り得ることはできない。この手順は、特に１個の保護アセンブリを多数の異なる人間が使用しなければならない場合に、多大な時間を費やすということがおのずから理解されよう。
【０００８】
【発明が解決しようとする課題】
本発明の目的は、人間の頭を外部の有害作用から保護するための保護アセンブリであって、従来の技術において公知の保護アセンブリの欠点を伴わない保護アセンブリを提供することである。
【０００９】
特に、本発明の目的は、人間の頭を外部の有害作用から保護するための保護アセンブリであって、保護アセンブリを装用する人間の頭に適合させることができ、その使用位置を調節することができ、それにより、調節し、再び頭に装着するために頭から繰り返しはずす必要のない保護アセンブリを提供することである。
【００１０】
【課題を解決するための手段】
これらの目的およびその他の目的を達成するために、本発明は、人間の頭を外部の有害作用から保護するための保護アセンブリを提供する。本保護アセンブリは、保護アセンブリを装用する人間の頭に接続するための支持構造と、目的の保護機能を発揮するバイザ部材と、このバイザ手段が下方の使用位置から上方の静止位置まで旋回するために支持構造に旋回式に接続されていることと、バイザ部材の位置を視線方向および下方の使用位置に調節、固定するための手段とを含む。
【００１１】
バイザ部材の位置を調節、固定するための手段は、該バイザ手段の位置を調節、固定するための手段を操作するための作動部材を含み、これらのすべての作動部材は保護アセンブリおよびバイザ部材の外側にそれぞれ配置されており、それらを保護アセンブリの使用位置に作動させて、バイザ部材の位置を視線方向および下方の使用位置に調節、固定することができるようになっている。
【００１２】
支持構造が当該技術において公知である硬質弾性額テープ部を含む本発明の好ましい実施例によると、バイザ部材は、額テープ部分にじかに固定されている。
【００１３】
これにより、設計上の要件が簡潔になり、容易に満たすことができる。
【００１４】
バイザ部材が、当該技術において公知であるように、支持構造と動作的に接続している二つの側面部を含むならば、また、各側面部が、摩擦クラッチ部材として作動する解放自在のねじ接続によって支持構造に接続されているならば、支持構造の額部に、解放自在のねじ接続の位置決めのための基礎部として働く、放射状に外方に突出するテープ区分を、そのこめかみ区域に配置することができる。
【００１５】
これに関して、支持構造の放射状に外方に突出する各テープ区分およびバイザ部材の側面部のうちテープ区分と重なる部分は、バイザの旋回軸を形成するねじ付きボルトを受けるためのポート状の孔を含む。バイザの各側にあるポート状の孔の片方は、保護アセンブリを装用する人間の視線方向とほぼ並行に延びる前後方向のスリットの形状にある。
【００１６】
この実施例をさらに発展させたものにおいては、前後方向の各スリットは、その長手に沿って、作動ノブ部材と係合するための複数のはめ込み凹部を含むことができる。バイザの位置を、支持部材に対して、はめ込み凹部によって定められるいくつかの所定位置のいずれかに能動的に固定するために、作動ノブ部材は、ねじ付きボルトの、バイザの側面部よりも外側にある部分に配置することが好ましい。
【００１７】
もう一つの実施例によると、ポート状の孔を前後方向のスリットの形状にして、これを支持構造の放射状に外方に突出するテープ区分に配置することができる。
【００１８】
いずれにしても、旋回式バイザ部材の下方の使用位置を決定するためのストッパ部材アセンブリが得られる。
【００１９】
このストッパ部材アセンブリは、通常、固定ストッパ部材と、固定ストッパ部材と係合する調節自在の当接部材とを含む。固定ストッパ部材は、支持構造の額部の放射状に外方に突出するテープ区分の片方に配置され、調節自在の当接部材は、バイザ部材の関連の側面部の内面のうち、バイザ部材の前記側面部の外側面に面する部分に配置される。これに関して、調節自在の当接部材は、前後方向に延びる経路に沿って移動することができ、この前後方向に延びる経路に対して横に延びるストッパ縁を備える。
【００２０】
調節自在の当接部材は、解放自在のねじ接続により、バイザ部材の側面部に固定することができる。このねじ接続は、バイザ部材の側面部に設けられたポート状の孔を貫通するねじ付きボルトと、ねじ付きボルトの、バイザ部材の側面部よりも外側にある部分に受けられる作動ノブ部材とを含む。
【００２１】
第一の可能な態様によると、ねじ付きボルトはバイザ部材の関連の側面部に固着される。バイザ部材の関連の側面部は前後方向のスリットを含み、このスリットに沿ってねじ付きボルトを無段階可変的に移動させることができ、ねじ付きボルトは、回転することのないよう、前後方向のスリットの中に受け入れられる。
【００２２】
第二の可能な態様によると、調節自在の当接部材が前後方向のスリットを含み、このスリットにより、当接部材が直線的に移動自在に、かつ非回転自在にねじ付きボルトに受け入れられることにより、ねじ付きボルトの位置をバイザ部材の側面部に設けられたポート状の孔の中で固定することができる。これに関して、調節自在の当接部材は、調節自在の当接部材と固定ストッパ部材との接続が解けたときに、調節自在の当接部材を固定ストッパ部材に押し当てるためのばね手段を含む。
【００２３】
さらに別の可能な態様によると、調節自在の当接部材を、摩擦クラッチによってねじ付きボルトに接続し、また、ねじ付きボルトを軸方向に移動させることによってはずすことができる能動的に係合するクラッチ部材によってバイザ部材の側面部に接続することにより、ねじ付きボルトの位置をバイザ部材の側面部にあるポート状の孔に対して固定することができる。
【００２４】
いずれにしても、当接およびストッパ部材手段ならびに関連の作動手段は、支持構造の耳部から離れた位置にあることが好ましい。
【００２５】
本発明による保護アセンブリはさらに、支持構造の大きさを、保護アセンブリを装用する人間の頭の大きさに適合させるための調節手段を含むことができる。
【００２６】
これらの調節手段は、保護アセンブリの使用位置に調節することができ、支持構造の額テープ部の円周寸法を調節するための自動固定式調節アセンブリを含む。この、支持構造の額テープ部の調節のための自動固定式調節アセンブリは、支持構造のネック部に配置されていることが好ましい。
【００２７】
このような自動固定式調節アセンブリを簡単かつ信頼性をもって具現化するために、支持構造の額テープ部は、前後方向のスロットを有する二つの自由端を含むことができ、各スロットの片方の縁には歯列が設けられ、二つの自由端を互いに重ね合わせたときに、片方のスロットの歯列が他方のスロットに設けられた歯列に対して反対側に位置するようになっている。さらに、額テープ部の二つの自由端を包囲する締付け部材を設けている。この締付け部材は、締付け部材の内部に配置され、二つの各スロットの片方の縁に沿って設けられた二つの歯列と噛合する、軸を中心に回転することができる歯車部材を含む。これに関して、締付け部材は、歯車部材の回転動を妨げる摩擦クラッチ部材と、歯車部材の軸の外側に固定された作動ノブとを含む。
【００２８】
【実施例】
以下、添付の図面を参照しながら本発明による装置の実施例をいくつか説明する。
【００２９】
図４に見ることができるように、本発明による保護アセンブリは、支持構造１と、支持構造１に接続されたバイザ部材２とを本質的に含む。
【００３０】
このバイザ部材は、水平に延びる軸を中心に、閉じた使用位置から開いた非使用位置に傾動することができるように接続されている。支持部材１の主要部品または必須部品は、図１に組み立てた作動状態で示す支持フレーム３によって構成されている。
【００３１】
図１の支持フレーム３は、一部には密な材料、好ましくはポリエチレンなどのプラスチック材料でできており、額テープ部４と、額テープ部４に対して直角に延びるクロステープ部材部５とを含む。支持フレーム３を形成するための基本構造は、図２に示すような、硬質弾性テープ部を組み入れた平坦なテープ部材である。これに関して、細長いテープ部６を環状に曲げ、その二つの端部７および８を互いにつなぐと、環状の額テープ４が形成される。クロステープ部材５は、横方向に突出する二つのテープ部分９および１０を曲げ、それらの自由端部を互いに接続することによって形成される。図２に示すように、テープ部６、９および１０は、それらの縁に沿って補強されている。
【００３２】
テープ部の自由端には、額テープ部４およびクロステープ５を望みの長さに閉じるための接続手段が設けられている。額テープ部４が関する限り、額テープ４を構成するテープ部６の二つの自由端７および８は、それぞれ、テープ部の長手に沿って延びるスロット形の孔１１を含む。各スロット形の孔１１の片方の側縁には歯列１２が設けられている。これに関して、二つのスロット形の孔の歯列１２はスロット形の孔の対向する側に位置し、二つのテープ部７および８を互いに重ね合わせると、歯列１２どうしが互いに面するようになっている（図３）。
【００３３】
さらに、テープ端部７および８を包囲して額テープ４のネック部を形成する締付け部材１３が設けられている。締付け部材１３は、二つのテープ端部７および８に設けられた歯列１２と噛合する歯車１４と、摩擦クラッチ部材（図示せず）とを含む。
【００３４】
歯車１４は軸１５に据えられ、その端には、歯車１４を手で回転させるための作動ノブ１６が設けられている。作動ノブ１６を操作することにより、二つのテープ端部７および８をそれらの長手方向に連続的に移動させることができる。
【００３５】
歯車１４を右回りに回転させるならば、額テープは短くなり、歯車１４を左回りに回転させるならば、額テープは長くなる。摩擦クラッチ部材を設けていることにより、調節した額テープ４の長さが維持される。作動ノブ１６を操作しない限り、摩擦クラッチ部材は、頭保護アセンブリを装用する人間の安全性が損なわれるおそれのあるほどの外力が額テープ部４に作用するような場合にしか解放されることはない。クロステープ５を閉じるために、その片方のテープ部９は、長手方向に配設された多数の穴１８を含み、他方のテープ部１０には、栓部材１９がその自由端に設けられている。二つのテープ部９および１０を互いに重ね合わせると、栓１９を、テープ部９に設けられた穴１８のいずれかに挿入する。選択した穴１８の位置により、クロステープ５の長さを調節することができる。この閉鎖アセンブリが偶発的に開いてしまうことを防ぐために、テープ部９の自由端には、他方のテープ部１０を包囲するループ部２０が設けられている。
【００３６】
さらに図１および２に見ることができるように、額テープ部４は、支持フレーム３の外に向かって放射状に突出する二つのテープ部２１を含む。これらの部分２１は、額テープ４のこめかみ区域に位置し、バイザ２を支持構造１に固定するための接続部材として働くためのものである。本実施例においては、上述のテープ部２１は、額テープ部４を構成するテープ部６から直角に突出するテープ区分２２および２３を外方かつ上方に曲げて図１に示すようなループを形成することによってそれぞれが構成されている。
【００３７】
外方に突出するテープ区分２１を形成するテープ部２２および２３の起点と、クロステープ部材５を形成するテープ部９および１０の起点とは、額テープ部材４の縁において互いに対向する位置にあり、テープ部２２および２３の端部２４がテープ部９および１０にそれぞれ接続されてクロステープ部材５を形成している。このために、テープ部９および１０にはピン２５が２個づつ設けられており、テープ部２２および２３には、前記ピン２５を受け入れるための穴２６が２個づつ設けられている。
【００３８】
テープ部２２および２３の曲げられる区域においては、孔２７を設けることによってその断面積を減らしている。
【００３９】
外方に突出する各テープ部２１には、バイザ２を支持フレーム３に固定するために働く接続部材を受け入れるためのポート２８が設けられている。さらに、テープ部２３には、テープ部２３と一体に形成されたストッパ部材２９が設けられている。
【００４０】
このストッパ部材２３は、バイザ２の下方位置、すなわち使用位置を決定することに役立つ。以下、図６および７を参照しながら、上述の接続部材およびストッパ部材２９をさらに詳細に説明する。
【００４１】
図１に示す支持フレーム３には普通、額テープ４の内面に固定され、その長手にわたって端部７および８にまで延びる内張り手段（図示せず）がさらに設けられている。これはまた、クロステープ部材５の部分を覆うこともできる。
【００４２】
外方に突出するテープ部は、傾斜面を形成するようにそれぞれ曲げられるテープ部２２、２３によってではなく、額テープ４と一体的に形成された傾斜したテープ部によって構成することもできる。
【００４３】
図４および５によると、支持構造１に接続されたバイザ２は、そのに前面に位置する窓３０を含む。例えば、このような窓３０は、窓３０に当たる光の量に応じて透明特性を変化させるフィルタ部材によって構成することができる。さらに、バイザ２は、支持フレーム３に旋回式に接続され、バイザ２の背面部まで側方に延びる二つの側面部３１および３２を含む。これらの各部分３１および３２には、前後方向のスリット３３が設けられ、このスリットを貫通してピボットピン（図４および５には示さず）が外に向かって延びている。ピボットピンは、支持フレーム３のテープ部２１のポート２８に挿入される。二つの前後方向のスリット３３は、バイザ２を、保護アセンブリを装用する人間の視線方向において移動させるためのものである。
【００４４】
バイザ２を選択した移動位置に固定するために、上述のピボットピンには、作動ノブ３４を備えた調節ナットを受け入れるためのねじ付き部分が設けられている。
【００４５】
本実施例においては、バイザ２の移動方向において三つのはめ込み位置を設定している。これらのはめ込み位置は、側面部３１および３２の外面に設けられた凹部３５によって構成されている。調節ノブを締め付けると、作動ノブ３４の対応するはめ込みの突出が上述の凹部と係合する。
【００４６】
バイザ２の下方の最終的な旋回位置、すなわち使用位置の調節を施すために、図４および５には示さない移動自在のストッパ手段が設けられている。このストッパ手段は、支持フレーム３（図１）のストッパ部材２９と係合するためのものであり、例えばさらなるボルトにより、バイザ２の左側面部３１に設けられた前後方向のスリット３６を貫通する。上述のボルトは、作動ノブ３７を有する調節ナットによって固定することができる。該前後方向のスリット３６の下方の、側面部３１の内面には、上述のストッパ部材を直線的に案内するように働くストリップ部材３８が設けられている。この点に関するさらなる詳細は、以下、図６および７の詳細な描写を参照しながら理解することができる。
【００４７】
図６および７においては、すでに説明した図１〜５にも見られる相当する部品を示すために使用したものと同じ符号を使用している。図６の分解図においては、バイザ２と支持フレーム３との旋回式接続の部品を見ることができる。旋回軸はピボットピン４０によって構成され、このピボットピン４０は、ヘッド部４１と、円筒部４２と、断面が正方形の部分４３と、その端にある、ねじ付き部４４とを備えている。
【００４８】
ピボットピン４０は、額テープ４の一部であるテープ部２１の円形のポート２８の中に、その円筒部４２が回転自在に受け入れられる。ピボット部４４のヘッド部４１は、額テープ４の、ヘッド部４１に面する方の側に位置する。ピボットピンの断面が正方形の部分４３は、ピボットピンが前後方向に移動することはできるが、回転することはできないように、前後方向に長い長方形のスリット３３の中に案内される。ピボットピン４０のねじ付き部４４が作動ノブ３４をその調節ナットとともに受ける。ピボットピン４０の中央の穿孔４６と係合する止めピン４５により、作動ノブ３４が偶発的に紛失されることはない。
【００４９】
上述のピボットピン４０が貫通するテープ部２１とバイザ２の側面部３１との間で、該ピボットピン４０には、正方形の穿孔を有する中間の座金４７と、ばね座金４８とが設けられる。ばね座金は、バイザ２が旋回動をなす間、凹部３５のいずれかに係合した作動ノブ３４をその位置に固定するように働く。
【００５０】
バイザ２の下方の旋回位置、すなわちその使用位置を設定するために、すでに述べた固定ストッパ部材２９と、望みの位置に固定することができる移動自在の当接部材５０とを含む連続調節自在のストッパ部材手段が設けられている。本実施例においては、ストッパ部材手段はバイザ２の左側面に位置している。これをその右側面に配置してもよいことが理解されるであろう。
【００５１】
当接部材５０は平坦な弓の形であり、上述のストリップ部材３８（図５）に係合し、断面が正方形の部分５３を有する固着されたねじ付きボルト５２を含む下方の直線状の脚部５１を含む。断面が正方形の部分５３は、前後方向に移動することはできるが、回転することはできないように、バイザ２の側面部３１の前後方向に長い長方形のスリット３６の中に案内される。ねじ付きボルト５２には、組み込まれた調節ナットを備えた前記作動ノブが設けられ、この作動ノブは、紛失しないよう、止めピン５４によって固定される。当接部材５０の、前記脚５１に対して直角に延びるさらなる脚５５は、図７に示すように固定ストッパ部材２９と係合するフック５６を形成する曲がり部を含む。さらなる上方の脚５７が下方の脚５１とほぼ並行な方向に延びている。
【００５２】
該上方の脚は、バイザ２が上方の静止位置から下方の使用位置まで旋回動をなすとき、外方に突出するテープ部２１と係合するように働く。これにより、フック５６の開口が固定ストッパ部材２９と接触する。
【００５３】
調節自在の当接部材５０の脚５１は、当接部材５０がどの位置に移動していても、その位置に孔があることによってバイザ２の保護機能を損なうことのないよう、バイザ２の側面部３１にある前後方向のスリット３６を覆うほどの長さであることが好ましい。
【００５４】
図８および９の実施例もまた、支持構造６０および関連のバイザ６１を示す。
【００５５】
この実施例は、ベアリングブッシュ６４により、調節ノブ６２を有するピボットボルトがバイザ６１の側面部６３に対して固定された位置をとるということにおいて、図４および５に示すものとは異なる。この実施例においては、バイザ６１を視線方向に移動させるために設けられたはめ込み部６６を有する前後方向のスリット６５は、支持構造６０の外方に突出するテープ部６７の中に位置している。このようにして、バイザの側面部に前後方向のスリットを設ける必要がなくなり、その結果、さらなる孔がないことにより、バイザの保護効果がさらに改善される。
【００５６】
これに関連して、調節自在のストッパ部材を調節ノブ６９によって移動させるための前後方向のスリット６８は、図７に示すものほど決定的なものではない。
【００５７】
図７には示さない調節自在のストッパ部材が、支持構造６０のテープ部６７と一体に形成されたテープ部７１と、その縦方向の縁から放射状に内方に突出するランド部材７２とを含む固定当接部材７０と係合する。
【００５８】
図６および７に示すものに類似してはいるが、異なるストッパ部材を有する当接部材手段を組み入れた実施例を図１０および１１に示す。図１０および１１の実施例の残りの部品はすべて図８および９に示すものと同一であり、同一の符号によって示す。調節自在の当接部材７３は、板状部７４と、その板状部７４から直角な方向に突出するストッパ縁７５とを含む。上述のストッパ縁は固定ストッパ部材７０と係合する。板状部７４は、図６および７に関連した説明したものに等しい方法で前後方向に移動自在に案内される。これに関して、バイザの側面部６３は、前後方向のスリット６８と、案内用ストリップ部材７６とを含む。符号７７は、板状部７４につながった調節自在のストッパ部材７３を調節ノブ６９（図９）によって固定するためのねじ付きボルトを示す。
【００５９】
調節自在のストッパ部材のねじ付きボルトを移動させるための前後方向のスリットをバイザの側面部に設けることを避けるためには、図１２および１３の解決策を具現化することができる。これによると、調節ノブ８０を備えたねじ付きボルト８１の位置は、バイザ８３の側面部８２に固定されている。さらに、同じ目的により、移動自在のストッパ部材８６の板状部８５には前後方向のスリット８４が設けられている。
【００６０】
該移動自在のストッパ部材８６は、側面部８２に設けられたうね８７に沿って直線的に案内され、図１０および１１の実施例の相当するストッパ部材７３とほぼ同様に設計されている。
【００６１】
移動自在のストッパ部材８６を望みの位置に固定するために、締付けプレート部材８８が設けられ、この部材の中に、ねじ付きボルト８１がねじ込まれる。この締付け接続を解放すると、例えば締付け部材８８と板状部８５との間に挿入されたばね部材８９が、調節自在のストッパ部材８６を固定ストッパ部材７０（図１１）に押し当てる。
【００６２】
その結果、バイザ８３を望みの使用位置に旋回させることにより、調節を施すことができる。支持構造６０と、バイザ８３を視線方向に移動させるために調節ノブ６２によって操作することができる手段とは、図１０および１１に示し、それらを参照しながら説明した方法で設計されている。
【００６３】
本発明のさらなる実施例を図１４〜１６に示す。この実施例は、一方では、再度、調節自在のストッパ部材を移動させるための前後方向のスリットをバイザの側面部に設ける必要のないように設計されている。他方では、この実施例は、保護アセンブリの耳部分に耳保護装置を設けることができる場合の解決策を提供する。
【００６４】
図１４および１５から理解することができるように、この保護アセンブリの支持構造９０は、図８に示す実施例とほぼ同等に設計されている。しかし、タブ７１およびランド７２を設けることとは対照的に、この実施例では固定ストッパ部材として丸いピン９１が設けられている。この丸いピンは、額テープ９２の外方に突出するテープ部９４の前縁９３の前に位置しており、そこから直角の方向に外方に突出している。
【００６５】
調節自在のストッパ部材として、後方に曲がったレバー部材９５が設けられている。
【００６６】
これに関して、レバー部材９５は、支持構造９０のうち外方に突出するテープ部９４の区域にある耳部のあたりに延びるように設計されている。
【００６７】
レバー部材９５は、バイザ９６の側面部の内面に旋回式に受けられており、調節ノブ９７によって望みの位置に調節することができる。
【００６８】
図１６には、調節自在のストッパ部材の調節手段をレバー部材９５の形態に実際に具現化したものを示す。この実施例は一例を挙げたに過ぎないことが理解されよう。本明細書で以下に論じる実施例に変更を加えることは当業者の技術の範囲内である。
【００６９】
バイザ９６の側面部は、軸方向に移動自在であるねじ付きボルト９９を旋回式に受けるベアリングブッシュ９８を含む。ねじ付きボルト９９の他端には調節ノブ９７が設けられており、ねじ付きボルト９９の内端は、調節当接手段として働くレバー部材９５のハブ１００の中にねじ込まれている。
【００７０】
レバー部材９５およびバイザ９６の側面部の互いの対向面には、それらの面と一体に形成された中空の円筒部１０１および１０２がそれぞれ設けられている。これらの中空の円筒部１０１および１０２には、互いに噛合することにより、能動的に噛合するクラッチ部材を形成する王冠形の歯列１０３が設けられている。
【００７１】
上述の能動的に噛合するクラッチ部材を噛合位置に維持する、すなわち、部品１０１と１０２とを互いに能動的に接続しておくために、圧力ばね１０４をバイザ９６の側面部と調節ノブ９７との間に挿入している。その結果、レバー部材９５は事前に調節したその位置に固定される。
【００７２】
ねじ付きボルト９９は、中空の円筒部１０１の肩と係合するカラー１０５を含み、これにより、調節ノブ９７によってねじ接続を緩め、さらに、調節ノブ９７に圧を加えて圧力ばね１０４の力に対して押すことによって上述したねじ付きボルトを軸方向に移動させることにより、能動的に噛合するクラッチ部材１０１、１０２および１０３が解放されるようになっている。
【００７３】
さらに、レバー部材９５と、ねじ付きボルト９９に配置されたカラー１０５との間には、スリップクラッチ部材として働く圧力ばね１０７が設けられている。調節ノブ９７を回転させることにより、スリップクラッチ部材は、はずれたレバー部材が望みの停止位置に移動されるような方法で作動する。調節ノブ９７に加える圧を解放するならば、能動的に噛合するクラッチ部材１０１、１０２および１０３は圧力ばね１０４の影響のもとで再び噛合し、これにより、ねじ接続を締めることによって能動的な噛合をさらに強めることができる。
【００７４】
保護アセンブリの耳部を解放するための当接手段の、さらに別のより簡単な実施例を図１７および１８に示す。この実施例においては、支持構造１１０は、額テープ１１３の外方に突出するテープ部１１２の上部に位置する固定ストッパ部材１１１を含む。同レベルには、バイザの相当する側面部１１４に前後方向のスリット１１５が設けられている。この前後方向のスリット１１５の中に、ピン１１６の形状の調節自在の当接部材が移動自在に受け入れられる。上述のピン１１６を支持するように働くベアリング部材１１７と、調節ノブによってベアリング部材１１７を固定するための手段とは、詳細には示さない。前後方向のスリット１１５は、バイザの旋回軸が係留されている前後方向のスリット１１７とほぼ並行に延びている。
【図面の簡単な説明】
【図１】本発明による装置の支持構造の一部である支持フレームを示す斜視図である。
【図２】図１の支持フレームを構成するテープ区分を展開したものを示す図である。
【図３】額テープ区分に設けられた締付け部材を詳細に示す図である。
【図４】図１の支持構造を組み入れて完成した保護アセンブリを示す側面図である。
【図５】図４の保護アセンブリのバイザを反対側から見た図である。
【図６】支持構造とバイザとの接続に働く各部品を示す分解図である。
【図７】開放位置から使用位置まで傾動させることができるバイザのストッパアセンブリを示す詳細断面図である。
【図８】バイザを前後方向に調節するための異なるアセンブリを組み入れた本発明による装置のもう一つの実施例を組み立てていない状態で示す側面図である。
【図９】バイザを前後方向に調節するための異なるアセンブリを組み入れた本発明による装置のもう一つの実施例を組み立てた状態で示す側面図である。
【図１０】バイザを調節するためのさらに異なる実施例のストッパアセンブリを組み入れたバイザを示す斜視図である。
【図１１】図９に示すバイザを前後方向に調節するためのアセンブリを組み入れて完成した本発明による装置を示す斜視図である。
【図１２】バイザを前後方向に調節するためのさらに異なる実施例のストッパアセンブリを組み入れたバイザを示す斜視図である。
【図１３】図１１に示すバイザを前後方向に調節するためのアセンブリを組み入れて完成した本発明による装置を示す斜視図である。
【図１４】本発明のさらなる実施例による固定ストッパ部材を組み入れた支持構造を示す斜視図である。
【図１５】図１３のストッパ部材アセンブリおよび支持構造を示す部分側面図である。
【図１６】図１５のストッパ部材アセンブリの調節手段を軸方向に部分断面で示す図である。
【図１７】本発明のさらなる実施例による固定ストッパ部材を組み入れた支持構造を示す斜視図である。
【図１８】図１３の支持構造を組み入れたストッパ部材アセンブリを示す部分側面図である。
【符号の説明】
１  支持構造
２  バイザ部材
３  支持フレーム
４  額テープ部
５  クロステープ
【図１】
0003574463.tif 000002
【図２】
0003574463.tif 000003
【図３】
0003574463.tif 000004
【図４】
0003574463.tif 000005
【図５】
0003574463.tif 000006
【図６】
0003574463.tif 000007
【図７】
0003574463.tif 000008
【図８】
0003574463.tif 000009
【図９】
0003574463.tif 000010
【図１０】
0003574463.tif 000011
【図１１】
0003574463.tif 000012
【図１２】
0003574463.tif 000013
【図１３】
0003574463.tif 000014
【図１４】
0003574463.tif 000015
【図１５】
0003574463.tif 000016
【図１６】
0003574463.tif 000017
【図１７】
0003574463.tif 000018
【図１８】
0003574463.tif 000019